(57)【要約】【課題】  録画されている同一番組中の同一のコーナーを視聴する際に、見たいシーンの検索を迅速に行う事が可能なビデオレコーダ−を提供する。【解決手段】  ＨＤＤ１３に録画している番組の再生時に、早送り、スキップ、サムネール表示等により見たいシーンを検索して（ＳＴ６）再生開始された場合、検索後の再生開始した際の位置の履歴をブックマークとして記憶し（ＳＴ８）、以降の同一番組の視聴シーンを検索する際には記憶されたブックマークの一覧から選択し（ＳＴ１１）、この選択したブックマークに基づいて再生を開始する（ＳＴ１２）。【選択図】  図６
2005073037.tif 000002
【特許請求の範囲】
【請求項１】
録画している番組の所定のシーンを検索した後に再生開始した際の位置の情報をブックマークとして記憶する手段と、
この記憶手段に記憶されたブックマークに基づき以降の同一番組の視聴シーンを検索する手段とを有することを特徴とする番組記録再生装置。
【請求項２】
前記記憶手段は、１つの番組に対して再生開始位置情報からなるブックマークを履歴として複数記憶することを特徴とする請求項１の番組記録再生装置。
【請求項３】
前記記憶手段は、１種類の番組に対して再生開始位置情報からなる複数のブックマークを１組の履歴情報として関連づけられて記憶することを特徴とする請求項１の番組記録再生装置。
【請求項４】
前記記憶手段は、各ブックマーク毎にその番組内の内容を示す注釈を対応付けて記憶することを特徴とする請求項１に記載の番組記録再生装置。
【請求項５】
前記記憶手段によるブックマーク記憶のＯＮ／ＯＦＦを選択する手段とを有することを特徴とする請求項１に記載の番組記録再生装置。
【請求項６】
繰り返し放送される番組を予約に基づき繰り返し録画する手段と、
録画している番組の所定のシーンを検索した後に再生開始した際の位置の履歴をブックマークとして記憶する手段と、
この記憶手段に記憶されたブックマークに基づき以降の同一番組の視聴シーンを検索する手段と、
繰り返し録画番組の繰り返し録画予約が削除されかつ録画した繰り返し番組のすべてが削除された場合にはブックマークを削除する手段を有することを特徴とする番組記録再生装置。
【請求項７】
視聴者の指示に基づいて録画している番組の所定のシーンの位置情報をブックマークとして記憶する手段と、
この記憶手段に記憶されたブックマークに基づき以降の同一番組の視聴シーンを検索する手段とを有することを特徴とする番組記録再生装置。
【請求項８】
録画している番組の所定のシーンの位置情報をブックマークとして記憶する手段と、
この記憶手段に記憶されたブックマークに基づき以降の同一番組の視聴シーンを検索して再生を開始する手段と、
この開始手段により再生された番組の再生位置が視聴者の指示に基づいて変更された際にこの変更されたシーンの位置情報をブックマークとして上記記憶手段に更新記憶する手段とを有することを特徴とする番組記録再生装置。
【請求項９】
録画している番組の所定のシーンを検索した後に再生開始した際の位置の情報をブックマークとして記憶するステップと、
この記憶ステップにて記憶されたブックマークに基づき以降の同一番組の視聴シーンを検索するステップとを有することを特徴とする番組記録再生方法。
【請求項１０】
前記記憶ステップにおいて、１つの番組に対して再生開始位置情報からなるブックマークを履歴として複数記憶することを特徴とする請求項９に記載の番組記録再生装置。
【請求項１１】
視聴者の指示に基づいて録画している番組の所定のシーンの位置情報をブックマークとして記憶するステップと、
この記憶ステップにて記憶したブックマークに基づき以降の同一番組の視聴シーンを検索するステップとを有することを特徴とする番組記録再生方法。
【発明の詳細な説明】
【技術分野】
【０００１】
この発明は、ＨＤＤビデオレコーダ等のビデオレコーダにおいて、録画された番組を再生する際に、いつも見ているお気に入りの場面（シーン）を探し出す機能を有するビデオレコーダ、並びにビデオレコーダにおけるシーン検索方法に関するものである。
【背景技術】
【０００２】
近年、ＨＤＤビデオレコーダ等の大容量の記憶メディアを用いたビデオレコーダが製品化されており、これらのビデオレコーダを用いてユーザーは、毎日、又は、毎週放送される同一番組を繰り返し録画することが容易に行えるようになっている。
【０００３】
従来のＶＴＲにおいても毎日、又は、毎週の番組を予約して録画する機能を有するものの、ＶＴＲにおいてはユーザーが望むシーンを探し出すことが容易ではなかった。
【０００４】
これに対して、ＨＤＤビデオレコーダは、各種の検索機能を備えているため、ユーザーが望むシーンを探し出すことがＶＴＲに比較して容易である。
【０００５】
ＨＤＤビデオレコーダにおいて、録画した番組の中から見たいシーンを検索するためには、従来、ＶＴＲと同様な早送りあるいは巻き戻し動作の他に、あらかじめユーザが設定した時間（例えば１５秒）だけ、映像を先に進めたり、戻したりするスキップ機能、サムネール表示によるシーン検索等の先行技術がある。
【０００６】
例えば、ＮＥＣ社が２００２年１１月２８日に発売したＮＥＣホームＡＶサーバ「ＡＸ−１０」では、０．５秒／１秒／２秒／１０秒／６０秒／５分の中からユーザ−が選択した一定時間間隔ごとの場面（シーン）を切り出し、並べて表示（サムネール表示）し、時系列順に表示されたシーンのサムネイルを選ぶことで、視聴位置にジャンプするという「シーンサーチ機能」を具備している。
【０００７】
又、特開２０００−１０１９１１号公報には、ユーザが過去に再生停止した位置は、番組の最後でない限り続きを視聴するために頭出しする位置である可能性が高いことに着目し、ユーザが過去に番組の再生の停止を指示したときの情報を保持する再生停止位置テーブルを備え、ユーザがリモコンからシーン検索指示を与えると、ＣＰＵが、再生停止位置テーブルを参照して、再生停止位置に対応する静止画を抽出してシーン検索画面に再生停止位置に対応する静止画を表示し、再生開始位置の選択枝とすることにより、ユーザが視聴したい続き部分をすばやく頭出しする装置が開示されている。
【０００８】
さらに、近年発売されているＨＤＤレコーダーにおいては、番組の再生中にチャプター分割を指示し、番組中のチャプター位置の静止画をサムネールにて一覧表示して、再生開始位置の選択枝とすることも可能となっている。
【０００９】
このような従来技術により、ユーザーは録画された番組の見たいシーンを検索して視聴することができるものの、サムネール画像として表示されたシーンがユーザーが本当に見たいシーンで無い場合には、一旦をサムネール画像を選択して再生を開始した後に、早送りあるいは巻き戻し動作や、スキップ機能を用いて検索しなければならないため、見たいシーンの検索には繁雑な操作の繰り返しと、ある程度の時間が必要であった。
【００１０】
さらに、ビデオレコーダのユーザーのニーズとして、繰り返し録画された同一番組中の特定のコーナー（例えば、天気予報やプロ野球速報等）だけをいつも見ており、視聴する
際は、見たいシーンを検索後、再生したいという要望がある。
【００１１】
しかしながら、上述した従来技術では、録画された１つの番組の中でのサーチにしか着目されていないため、別の日や別の週に録画された同一番組中の同一のコーナーを視聴する際には、再度、番組中の見たいシーンを検索しなければならず、見たいシーンを探し出すまでに時間を要したり、繁雑な操作を繰り返さなければならないという問題があった。
【特許文献１】特開２０００−１０１９１１号公報（第５頁、図５）
【発明の開示】
【発明が解決しようとする課題】
【００１２】
本発明は上述した課題を解決するためになされたものであり、同一番組中の同一のコーナーを視聴する際に、見たいシーンの検索を迅速に行う事が可能な、番組記録再生装置、並びに、番組記録再生方法を提供しようとするものである。
【課題を解決するための手段】
【００１３】
上記課題を解決するために、本発明の番組記録再生装置は、録画している番組の所定のシーンを検索した後に再生開始した際の位置の情報をブックマークとして記憶する手段と、この記憶手段に記憶されたブックマークに基づき以降の同一番組の視聴シーンを検索する手段とを有することを特徴とする。又、本発明の番組記録再生装置は、視聴者の指示に基づいて録画している番組の所定のシーンの位置情報をブックマークとして記憶する手段と、この記憶手段に記憶されたブックマークに基づき以降の同一番組の視聴シーンを検索する手段とを有することを特徴とするものである。
【発明の効果】
【００１４】
同一番組中の同一のコーナーを視聴する際に、過去の同一番組の視聴履歴に基づいてシーンの検索を行うため、見たいシーンの検索を迅速に行う事が可能な、ビデオレコーダ、並びにビデオレコーダにおけるシーン検索方法を提供することができる。
【発明を実施するための最良の形態】
【００１５】
以下、図面を参照しながら本発明の実施の形態を説明する。
【００１６】
図１は本発明が適用されたビデオレコーダ１と周辺のホーム内機器等とのシステム構成図の一例を示す図である。
【００１７】
本発明が適用されたビデオレコーダ１は、録画した連続番組を視聴した際に、見たいシーンを検索した履歴をブックマークとして記憶しておき、次回、新たに録画した連続番組を視聴する際に、その履歴情報を利用することにより、見たいシーン（いつも見ている番組のコーナー等）の近傍へジャンプして、シーン検索の手間を軽減することを可能とするものである。
【００１８】
このような、繰り返し録画番組における見たい場面のブックマーク付与機能を実現する機器の一例として、ＨＤＤを用いたビデオレコーダ１を用いることとするが、ビデオレコーダとしてＰＶＲ機能を有するホームサーバやＰＣ等の機器を用いても良い。
【００１９】
図１に示すシステムの構成要素として、家庭内においてビデオレコーダ１には、アナログ地上波、ＢＳ、ＣＳ放送波等のＴＶ放送波を受信するアンテナ２からの同軸ケーブルが接続され、ＴＶ３ともアナログあるいはデジタルで有線ケーブルにより接続される。また、ＴＶ放送波を通信媒体として、ＥＰＧを受信することも可能である。ビデオレコーダ１はビデオレコーダの専用リモコン４から、赤外線通信によりリモート制御が可能である。
【００２０】
また、ビデオレコーダ１は、家庭内ＬＡＮ５（Ｘｅｒｏｘ社とＤＥＣ社（現在はＨｅｗｌｅｔｔ  Ｐａｃｋａｒｄ社の一部門）が考案したＬＡＮ規格ＩＥＥＥ８０２．３等）を介してＰＣ６とも接続され、ＰＣ６により、ビデオレコーダ１内の録画コンテンツの編集やインターネット上のＥＰＧサイト９からのＥＰＧを利用した番組予約等を行うなど機能の連携が可能である。
【００２１】
インターネット７には、ＡＤＳＬモデム内蔵のブロードバンドルータ８を介して接続され、ビデオレコーダ１が直接インターネット７上のＥＰＧサイト９を利用したＥＰＧの受信や外出先からのリモート録画予約が可能である。ここで、繰り返し番組録画自体は、ＥＰＧ等を利用し、リモコン４あるいはＰＣ６を用いて、従来と同様の予約と録画が行われる。
【００２２】
尚、ビデオレコーダ１は録画した番組のＥＰＧデータに基づいて録画コンテンツリストを作成し記録する機能有する。
【実施例１】
【００２３】
本発明が適用される第１の実施例を図面に基づき説明する。図２は本発明が適用されたビデオレコーダ１において繰り返し録画した番組に対して見たい場面のブックマークを付加する機能を実現する上で必要なハードウェアを説明するためのブロック図である。
【００２４】
ビデオレコーダ１は、アンテナケーブルから入力されるＴＶ放送波を受信し、受信チャネルの選局及び放送波を復調し、映像及び音声信号を出力するチューナ部１１、チューナ部からの信号をＭＰＥＧ２などのフォーマットへリアルタイムに映像符号化するエンコード部１２、エンコード部からの符号化された映像データ（音声データを含む）を記録するＨＤＤ１３、ＨＤＤ１３に記録された映像データ（音声データを含む）をデコードし、ＴＶ等へビデオ／オーディオ出力するデコード部１４からなる。また、リモコン４からの信号受信、ビデオ入出力及びオーディオ入出力、ＬＡＮ接続のための入出力インタフェース部１５、システム時刻を設定したり、各種処理の同期をとるための発振器１６、機器内部へ電源を供給する電源部１７を有している。さらに、ビデオレコーダ１は、メモリ１８に記憶されたプログラムに基づき、これらビデオレコーダの各構成部全体を制御するＭＰＵ１９を有する。見たい場面のブックマーク付加機能は、あらかじめメモリ１８に記憶されたプログラムをＭＰＵ１９が呼び出して実行することで実現される。
【００２５】
尚、ＨＤＤ１３には映像データ、音声データが記録されるとともに、上述した録画コンテンツリスト等の録画済番組に関する情報が記録される。
【００２６】
図３は、本実施の形態におけるブックマークの概念を説明するための図であり、ブックマークとは、図３に示すように、録画開始点を起点とした視聴したい番組コーナまでの相対的な再生開始位置であり、録画開始時点から再生開始時点までの差分の時間、あるいは所定のフォーマットにより記録された録画データの先頭からの相対バイト位置などで表される。
【００２７】
図４は、ブックマーク付加機能を実現するためにメモリ１８に記憶されたプログラムの機能構成図の一例を示すものである。ブックマーク処理プログラムには、ブックマーク登録データ２１の登録／管理などを行うブックマーク登録管理機能２２、早送りなどのシーン検索、ブックマーク手動登録、ブックマークへの注釈付加などの操作を可能にするユーザインタフェース機能２３、ブックマーク登録管理機能２２から利用されて再生開始位置抽出とタイマー管理を行う再生検出機能２４、ブックマークの更新管理を行うブックマーク更新機能２５とがある。
【００２８】
図５は、ブックマーク登録データ２１の内容の一例を示すものである。図５に示すように、ブックマーク登録データ２１のデータ項目としてはブックマーク登録データＮｏ、番組放送チャンネル（Ｃｈ）、番組名、放送時間、毎日か毎週の区別、毎週であれば曜日の情報、番組に対応した一連のブックマークの説明、ブックマーク・データがある。
【００２９】
ブックマークは複数設定することが可能であり、図５の例の場合は２つであるが、それ以上でも可能である。図５の例では、ブックマーク・データは、録画開始時点から再生開始時点までの経過時間と注釈から構成されている。注釈とは、それが示す内容（例えば、スポーツ、天気予報等）のことである。尚、ブックマーク登録データ２１の登録・更新・削除は、ＭＰＵ１９により自動的に行われる。複数のブックマークからなる１組のブックマーク登録データは、１種類の繰り返し録画番組に対して１組が関連づけられて記憶される。
【００３０】
次に、図４に示したプログラムの機能構成図における、ブックマーク登録管理機能２２、ユーザインタフェース機能２３、再生検出機能２４、ブックマーク更新機能２５により実現されるビデオレコーダ１のブックマーク登録・更新の動作の一例を、図６のフローチャートに基づき説明する。
【００３１】
尚、本実施の形態では、ブックマーク登録・更新の動作を開始する前提として、繰り返し録画される番組が少なくとも１つが既に録画されていることが前提となっている。
【００３２】
図６に示すように、ユーザーが再生を選択すると、まず、ＭＰＵ１９がＨＤＤ１３から録画コンテンツリストを読み出して、図７に示すようにユーザインタフェース機能２３により、ＴＶ３に表示する。即ち、図７に示すようにＭＰＵ１９がＨＤＤ１３から録画コンテンツリストを読み出し、ＨＤＤ１３に録画されている番組の番号、年月日、曜日、録画開始時分、チャンネル、番組ジャンル、番組タイトルの一覧を表示する（ＳＴ１）。そして、ユーザーはＴＶ３に表示された録画コンテンツリストから、ユーザが見たい繰り返し番組を選択する（ＳＴ２）。図７の例では、録画コンテンツリスト一覧中の最上位の番組が選択されている。
【００３３】
次に、登録されたブックマークが選択されたかどうかが確認され（ＳＴ３）、ブックマークが選択されたかどうかで、フローが分かれる。選択された番組の最初の再生時にはブックマークが未だ登録されていないため、ブックマークは選択されずに再生ボタンが操作され、ブックマーク登録済みの場合ユーザーはブックマークの選択が可能となる。
【００３４】
ブックマークは選択されずに再生ボタンが操作された場合（ＳＴ４）は、選択された番組の録画コンテンツの最初から再生される。この際、再生検出機能２４により、再生開始時間ＳＴとタイマーＴがゼロにセットされて（ＳＴ５）再生が開始される。再生検出機能２４は再生の途中で早送り／巻き戻し動作やスキップ機能等によりスキップされたか否かを判定し（ＳＴ６）、早送り／巻き戻し動作やスキップ機能等によりスキップされた場合には、スキップ後の再生位置を再生開始時間ＳＴにセットし、タイマーＴがゼロクリアされる（ＳＴ６）。タイマーＴは再生が継続している時間をカウントしており、再生状態がある所定の時間Ｘよりも継続した（Ｔ＞Ｘ）ことを再生検出機能２４が検出した場合（ＳＴ７）には、ブックマーク登録管理機能２２が再生開始位置ＳＴをブックマークとして自動登録する（ＳＴ８）。尚、ここで自動登録されたブックマークのデータは図５に示したブックマークのデータ中の「ブックマークの説明」、「注釈」の欄以外のデータがブックマークのデータとして自動登録される。再生検出機能２４が選択番組の再生終了を検出するまで（ＳＴ９）、上記ステップ５（ＳＴ５）乃至ステップ８（ＳＴ８）のブックマーク登録処理が繰り返されて、１つの番組に対するブックマーク登録が行われる。
【００３５】
上述したように、自動登録されたブックマークのデータは図５に示したブックマークのデータ中の「ブックマークの説明」、「注釈」の欄以外のデータがブックマークのデータとして自動登録されているので、ブックマーク登録処理中、若しくは、選択した番組の再生が終了した後に、ユーザーはリモコン４から「ブックマークの編集」を選択すると、当該番組におけるブックマークのデータが図８に示すように表示されて、ユーザーは「ブックマークの説明」の入力、並びに「注釈」の選択若しくは新規入力を行う。即ち、番組に対応したブックマークのタイトル（説明）と各ブックマークの注釈は、ソフトウェアキーボードとリモコン操作により新規入力、変更することが可能であり、また、よく使われるであろう単語は、あらかじめ用意されたキーワードから選択することにより、簡単に設定が可能である。図８の例では、「ブックマークの説明」として「見どころ集」が入力中の状態であり、又、「注釈」としては、３つのブックマーク中の１つを選択（ダブルクリック）すると、過去に使用したブックマ−クの注釈の一覧が表示され、「スポーツ」を選択中の状態を示している。注釈として適切なものが無い場合には新規に注釈を入力することも可能である。
【００３６】
上記のステップ２（ＳＴ２）にて、ユーザが見たい繰り返し番組を選択した後に、ユーザーがリモコンの「ブックマーク」ボタンにより、ブックマークを選択した場合（ＳＴ３）で、ブックマーク登録済みの場合には、ユーザインタフェース機能２３により、ブックマークのリストをＴＶ３に表示する（ＳＴ１０）。即ち、選択された番組におけるブックマークのデータが図９に示すように表示される。ユーザーがブックマークデータの一覧から１つを選択し「再生」ボタンが押された場合には（ＳＴ１１）、ブックマークデータ中の時間情報に基づいてそこにジャンプして再生を開始する（ＳＴ１２）。この際、再生検出機能２４により、再生開始時間ＳＴがゼロにセットされて再生が開始される。
【００３７】
再生が開始されると、再生検出機能２４は再生の途中で早送り／巻き戻し動作やスキップ機能等により再生位置の微調整が成されたか否かを判定し（ＳＴ１３）、再生位置の微調整が成された場合には、タイマーＴがゼロクリアされ（ＳＴ１４）。
【００３８】
タイマーＴは再生が継続している時間をカウントしており、再生検出機能２４はタイマーＴの値により再生状態がある所定の時間Ｘよりも長く継続しているか（Ｔ＞Ｘ）を判定し（ＳＴ１５）、再生状態がある所定の時間Ｘよりも長い場合には視聴したと見なし、微調整された再生位置が適切な再生位置であるとして、ブックマーク更新機能２５は、微調整された時刻情報ＡＡ：ＢＢ：ＣＣをブックマーク位置の情報更新の候補ＳＴ１としてメモリ１８に一時記憶する（ＳＴ１６）。尚、再生状態がある所定の時間Ｘよりも長く継続していない場合には（ＳＴ１５）、ステップ１３（ＳＴ１３）に戻る。
【００３９】
再生検出機能２４は再生中に選択番組の再生が終了を検出するまで（ＳＴ１７）、上記ステップ１３（ＳＴ１３）乃至ステップ１６（ＳＴ１６）の処理を繰り返す。そして、選択番組の再生終了が検出されると（ＳＴ１７）、メモリ１８に記憶されているブックマーク位置情報の更新の候補ＳＴ１を用いて、ブックマークを更新する（ＳＴ１８）。
【００４０】
ここで、毎回見ているお気に入りの番組コーナーは、その日の番組内容により、放映時刻が毎回少しずつ前後するため、ステップ１８（ＳＴ１８）におけるブックマークの更新アルゴリズムとしては、更新候補と現在のブックマークの位置の平均を用いる方法や最新である更新候補の位置を用いる方法が考えられる。又、ブックマークが複数登録されている場合には、現在の再生位置からある所定の前後範囲内にあるブックマークが更新対象として選択される。
【００４１】
また、ブックマーク登録管理機能２２はブックマーク登録データの管理を行い、対応す
る繰り返し録画番組の繰り返し録画予約の設定が削除され、かつ、録画コンテンツがすべて削除された場合には、ブックマーク登録データを自動的に削除する。
【００４２】
さらに、ユーザインタフェース機能２３とブックマーク登録管理機能２により、ユーザの手動操作により、ブックマークを登録、更新することも可能である。
【００４３】
また、録画コンテンツリストから対象の録画番組を選択した状態（図７）で、リモコンの「ブックマーク」ボタンを押すと一連のブックマークが表示され（図８）、削除対象のブックマークを選択後、リモコンの「削除」ボタンを押すことにより、登録されたブックマークを手動で削除することも可能である。
【００４４】
次に、リモコン上の専用ボタン（「ブックマーク登録」ボタン）操作によりブックマーク登録を行う場合の動作の一例を、図１０のフローチャートに基づき説明する。
【００４５】
図１０に示すように、ユーザーが再生を選択すると、まず、ＭＰＵ１９がＨＤＤ１３から録画コンテンツリストを読み出して、ユーザインタフェース機能２３により、ＴＶ３に表示する。即ち、図７に示すようにＭＰＵ１９がＨＤＤ１３から録画コンテンツリストを読み出し、ＨＤＤ１３に録画されている番組の番号、年月日、曜日、録画開始時分、チャンネル、番組ジャンル、番組タイトルの一覧を表示する（ＳＴ２１）。そして、ユーザーはＴＶ３に表示された録画コンテンツリストから、ユーザが見たい繰り返し番組を選択する（ＳＴ２２）。
【００４６】
次に、登録されたブックマークが選択されたかどうかが確認され（ＳＴ２３）、ブックマークが選択されたかどうかで、フローが分かれる。ブックマークは選択されずに再生ボタンが操作された場合（ＳＴ２４）は、選択された番組の録画コンテンツが最初から再生される（ＳＴ２５）。そして、ユーザーが早送り／巻き戻し動作やスキップ機能の利用、若しくは、サムネール表示におけるシーン選択等により、見たいシーンの再生位置の検索を行う（ＳＴ２６）。
【００４７】
見たいシーンを検索できたとき、ユーザーがリモコン上の専用ボタン（「ブックマーク登録」ボタン）を操作することによりブックマークの登録を指示し（ＳＴ２７）、このブックマーク登録ボタンが操作されると、ブックマーク登録管理機能２２が現在の再生位置ＳＴをブックマークとしてブックマーク登録データ２１に登録する（ＳＴ２８）。即ち、ブックマーク登録データＮｏ、番組放送チャンネル（Ｃｈ）、番組名、放送時間、毎日か毎週の区別、毎週であれば曜日の情報、番組に対応した一連のブックマークの説明とともに現在の再生位置の情報がブックマーク・データとしてブックマーク登録データ２１に登録される。
【００４８】
尚、ブックマーク位置から再生開始し、見たいシーンを検索した後に「ブックマーク登録」ボタンを押した場合には、再生開始したブックマークを更新するか、新規にブックマークを登録するかのガイドをＴＶ画面等に表示して、ユーザに選択させ、ユーザの選択に応じて、ブックマークの更新または登録を行う。
【００４９】
以上の処理によりリモコン上の専用ボタン操作によるブックマーク登録が行われ、これらのブックマークデータに基づく再生は図６のフローチャートにて説明した再生処理に用いられて再生される。即ち、上述した説明と重複するが、ブックマークデータに基づく再生処理を再度説明する。
【００５０】
まず、ユーザーが録画番組の再生を選択すると、まず、ＭＰＵ１９がＨＤＤ１３から録画コンテンツリストを読み出して、図７に示すようにユーザインタフェース機能２３によ
り、録画コンテンツリストをＴＶ３に表示し（ＳＴ１）、そして、ユーザーはＴＶ３に表示された録画コンテンツリストから、ユーザが見たい繰り返し番組を選択する（ＳＴ２）し、そして、ブックマークを選択する。尚、選択された番組についてブックマークが未だ登録されていない場合はブックマークの選択はキャンセルされる。
【００５１】
ブックマークを選択すると（ＳＴ３）、ユーザインタフェース機能２３により、選択された番組のブックマークのリストが図９に示すようにＴＶ３に表示され（ＳＴ１０）、ユーザーがブックマークデータの一覧から１つを選択し「再生」ボタンを押すと（ＳＴ１１）、ブックマークデータ中の時間情報に基づいてそこにジャンプして再生が開始される（ＳＴ１２）。
【００５２】
このように本実施例においては、繰り返し番組を録画して視聴する際には、以前の視聴履歴若しくはユーザーのブックマーク登録操作に基づき作成されたブックマークデータを用いてユーザーの見たいシーン（いつも見ている番組のコーナー等）の近傍へジャンプするため、シーン検索に要する時間短縮およびユーザのシーン見落としによる検索の煩雑さを軽減することが可能となる。
【００５３】
従って、このようなブックマークデータは有用であり、他人の作成したブックマークデータを利用できれば便利である。ビデオレコーダ１はインターネットに接続されているため、ブックマークデータの共有は容易に行える。
【００５４】
即ち、図１１に示すように、インターネットを介して、ブックマーク登録データをビデオレコーダ１ａビデオレコーダ１ｂとの間で交換し共有するシステムを構成することができる。図１２に交換するブックマーク登録データの一例を示す。項目として、放送チャンネル、番組名、放送開始／終了時間、この一連のブックマークが何のブックマークかを示すブックマークの説明、各ブックマークの位置及びその説明の注釈からなる。例えば、通信の方式として、相手の家庭のグローバルＩＰアドレスをＤＮＳによる名前解決等により知り、ポイントツーポイントで相手のビデオレコーダとＨＴＴＰベースで通信し、認証後、ブックマーク登録データのやりとりを行うことにより、繰り返し録画番組の「見どころ」等のブックマークを共有することが可能となる。
【００５５】
また、図１３に示すように、インターネット上のあるコミュニティサイトへ登録したメンバー間で、ブックマーク登録データを共有することにより、同様のことが実現可能である。
【００５６】
ビデオレコーダ１において、ブックマーク登録データは、対応する繰り返し録画番組の繰り返し録画予約の設定が削除され、かつ、録画した繰り返し番組のすべてが削除された場合には、自動的に削除される。即ち、図１４に示すように、対応する繰り返し録画番組の繰り返し録画予約の設定が削除されたかを確認し（ＳＴ３７）、繰り返し録画予約の設定が削除されている場合には、録画した繰り返し番組のすべてがＨＤＤ１３から削除されたかを確認する（ＳＴ３８）。そして、録画した繰り返し番組のすべてが削除されている場合には、当該繰り返し番組のブックマークデータはブックマーク登録データ２１から自動的に削除される（ＳＴ３９）。
【００５７】
以上説明した本発明の第１の実施形態では、繰り返し番組を録画して視聴した際の早送り、スキップ、サムネール表示等により見たいシーンを検索して再生開始した位置の履歴、若しくはユーザーのブックマーク登録操作に基づき作成されたブックマークデータを記憶しておくことにより、新しく録画した連続番組を視聴する際には、そのブックマークを利用して見たいシーン（いつも見ている番組のコーナー等）の近傍へジャンプするため、シーン検索に要する時間短縮およびユーザのシーン見落としによる検索の煩雑さを軽減す
ることが可能となる。
【実施例２】
【００５８】
次に、本発明が適用される第２の実施例を説明する。尚、第２の実施例においては、第１の実施例と比較して、ブックマークの自動登録機能を、ユーザ設定によりＯＮ／ＯＦＦの選択可能とした点で相違するが、上述した図１乃至図１４にて説明した第１の実施例と同様の構成と機能を有するビデオレコーダーであり、重複説明は避け、相違点のみを説明することとする。
【００５９】
図１５は第２の実施例におけるブックマーク登録・更新の動作を説明するためのフローチャートであり、基本的な部分は図６と同一である。
【００６０】
第２の実施例においては、ブックマークの自動登録機能のＯＮ／ＯＦＦをユーザが予め選択している。従って、図１５のフローチャートにおいては、ブックマークの自動登録機能がＯＮされているかが、ＭＰＵ１９により確認される（ＳＴ４０）。ブックマークの自動登録機能がＯＮされていない場合は、ブックマークの自動登録機能を稼動させずに通常の再生処理が行われる（ＳＴ４１）。ブックマークの自動登録機能がＯＮされている場合には、図６のフローチャートと同様の処理を行う。
【実施例３】
【００６１】
次に、本発明が適用される第３の実施例を説明する。尚、第３の実施例においては、第１の実施例に加えて、ブックマークデータの登録を自動化する機能を有するものであって、上述した図１乃至図１４にて説明した第１の実施例と同様の構成と機能を有するビデオレコーダーであり、重複説明は避け、相違点のみを説明することとする。
【００６２】
第３の実施例においては、図１６に示すようにブックマーク付加機能を実現するためにメモリ１８に記憶されたプログラムの機能構成図として図４にて説明した構成に加えて、インデックス検出機能２６を有する。インデックス検出機能２６は、ＨＤＤ１３に録画している番組中の各シーンに含まれている音声データについて、音声特徴量の解析を行いその解析結果により各シーンのインデックス情報となるメッセージをブックマーク登録管理機能２２に出力するものである。このような音声に基づくインデックス情報の作成は音声インデキシング技術として知られている。
【００６３】
次に、インデックス検出機能２６を用いたブックマークデータの自動登録について図１７のフローチャートに基づき説明する。
【００６４】
ユーザーによる録画ボタンの操作、若しくは、録画予約により繰り返し番組の録画が開始される（ＳＴ５１）。インデックス検出機能２６は受信情報の音声データについて、音声特徴量の解析を行いその解析結果により各シーンのインデックス情報となるメッセージをインデックス情報として抽出しブックマーク登録管理機能２２に出力する（ＳＴ５２）。ブックマーク登録管理機能２２には、ユーザーが見たいシーンに関連するキーワードが登録されており、インデックス検出機能２６から出力されたインデックス情報と登録キーワードとが比較される（ＳＴ５３）。そして、インデックス検出機能２６から出力されたインデックス情報と登録キーワードとが一致している場合、当該シーンをブックマークとしてブックマーク登録データ２１に登録する（ＳＴ５４）。即ち、ブックマーク登録データＮｏ、番組放送チャンネル（Ｃｈ）、番組名、放送時間、毎日か毎週の区別、毎週であれば曜日の情報、番組に対応した一連のブックマークの説明とともに録画開始位置からの現在の位置（時刻）情報と登録キーワードと一致したインデックス情報とがブックマーク・データとしてブックマーク登録データ２１に登録される。
【００６５】
ＭＰＵ１９は録画が終了したかどうかを判定しており（ＳＴ５５）、録画が終了していない場合はステップ４２に戻る。又、録画が終了した場合には処理を終了する。
【００６６】
この第２の実施形態では、見たいシーンのキーワードを予め入力しておくだけで、自動的にブックマークが作成されるので、第１の実施形態と比較してユーザーの操作は簡略化される。例えば、図９に示したブックマークデータの注釈である「スポーツ」、「天気予報」をキーワードとして入力するとともに、入力されたブックマークデータのタイトルである「見どころ集」と対応させて記憶しておくことにより、「見どころ集」のブックマークが番組録画時に自動的に作成される。
【００６７】
そして、インデックス検出機能２６から出力されるインデックス情報は、そのシーンと非常に密接な関係にあるため、ブックマーク・データに基づき再生位置をジャンプすれば、
ユーザーの見たいシーン（いつも見ている番組のコーナー等）からの再生が容易に行えることとなる。尚、再生手順は第１の実施形態と同様であるので、説明は省略する。
【００６８】
以上説明した本発明の第３の実施例では、繰り返し番組を録画する際に、予め入力されている見たいシーンのキーワードに基づきブックマークデータを作成し記憶しておくことにより、新しく録画した連続番組を視聴する際には、そのブックマークを利用して見たいシーン（いつも見ている番組のコーナー等）の近傍へジャンプするため、シーン検索に要する時間短縮およびユーザのシーン見落としによる検索の煩雑さを軽減することが可能となる。
【図面の簡単な説明】
【００６９】
【図１】本発明が適用されたビデオレコーダ１と周辺機器のシステム構成図。
【図２】本発明が適用されたビデオレコーダのブロック図。
【図３】ブックマークの概念を説明するための図。
【図４】ブックマーク付加機能を実現するためのプログラムの機能構成図。
【図５】ブックマーク登録データの一例を示す図。
【図６】ブックマーク登録・更新の動作を説明するフローチャート。
【図７】録画コンテンツリストの表示例
【図８】図８ブックマークデータの新規入力、変更を説明する画面表示例
【図９】ブックマークリストの画面表示例
【図１０】リモコン操作によりブックマーク登録を行う動作のフローチャート。
【図１１】インターネットを介してブックマークデータを交換する際のシステム構成図。
【図１２】交換するブックマーク登録データの一例を示す図。
【図１３】インターネット上のコミュニティサイト登録メンバー間でブックマーク登録データを共有する際のシステム構成図。
【図１４】ブックマーク登録データの削除を説明するフローチャート。
【図１５】第２の実施例におけるブックマーク登録・更新の動作説明フローチャート。
【図１６】第３の実施例におけるプログラム機能構成図
【図１７】インデックス検出機能を用いたブックマークデータの自動登録を説明するフローチャート。
【符号の説明】
【００７０】
１……ビデオレコーダ
３……ＴＶ
２１……ブックマーク登録データ
２２……ブックマーク登録管理機能
２３……ユーザインターフェイス機能
２４……再生検出機能
２５……ブックマーク更新機能
２６……インデックス検出機能
【図１】
2005073037.tif 000003
【図２】
2005073037.tif 000004
【図３】
2005073037.tif 000005
【図４】
2005073037.tif 000006
【図５】
2005073037.tif 000007
【図６】
2005073037.tif 000008
【図７】
2005073037.tif 000009
【図８】
2005073037.tif 000010
【図９】
2005073037.tif 000011
【図１０】
2005073037.tif 000012
【図１１】
2005073037.tif 000013
【図１２】
2005073037.tif 000014
【図１３】
2005073037.tif 000015
【図１４】
2005073037.tif 000016
【図１５】
2005073037.tif 000017
【図１６】
2005073037.tif 000018
【図１７】
2005073037.tif 000019